(57)【要約】【課題】利用者の操作により装置を稼動させる場合に、利用者を装置前で待たせることのないようにした利便性の高いファクシミリ装置を提供する。【解決手段】節電モード自動移行機能を備えたファクシミリ装置において、少なくとも発信元情報を含む条件情報６ａを登録したスタンバイモード移行条件登録設定手段８ａと、外線からの呼出に着信した後に、電話機側から送信されてくる識別情報が、登録した発信元情報と一致したときには、節電モードからスタンバイモードに移行させる制御手段１とを備えている。【選択図】図１
2005143050.tif 000002
【特許請求の範囲】
【請求項１】
節電モード自動移行機能を備えたファクシミリ装置において、
少なくとも発信元情報を含む条件情報を登録したスタンバイモード移行条件登録設定手段と、
外線からの呼出に着信した後に、電話機側から送信されてくる識別情報が登録した発信元情報と一致したときには、節電モードからスタンバイモードに移行させる制御手段とを備えた、ファクシミリ装置。
【請求項２】
節電モード自動移行機能を備えたファクシミリ装置において、
少なくとも時刻帯情報を含む条件情報を登録可能としたスタンバイモード移行条件登録設定手段と、
クロック手段と、
外線からの呼出に着信した後に、クロック手段を参照して登録された時刻帯と一致したときには、節電モードからスタンバイモードに移行させる制御手段とを備えた、ファクシミリ装置。
【請求項３】
節電モード自動移行機能を備えたファクシミリ装置において、
少なくとも発信元情報と時刻帯情報を含む条件情報を登録可能としたスタンバイモード移行条件登録設定手段と、
クロック手段と、
外線からの呼出に着信した後に、電話機側から送信されてくる識別情報が登録した発信元情報と一致し、かつ、クロック手段を参照して登録された時刻帯と一致したときには、節電モードからスタンバイモードに移行させる制御手段とを備えた、ファクシミリ装置。
【請求項４】
請求項１または３において、
上記ファクシミリ装置は、電子メールに画像ファイルを添付して送受信する機能をさらに備えており、
上記制御手段は、受信した電子メールから発信元情報を抽出して、登録された発信元情報と照合する構成にしている、ファクシミリ装置。
【発明の詳細な説明】
【技術分野】
【０００１】
本発明は、ファクシミリ装置の節電モードからスタンバイモードへの切り換え技術に関するものである。
【背景技術】
【０００２】
従来のファクシミリ装置や複合機には、省エネルギーや節電目的のために、節電モードへの切り換えができるようにしたものがある。節電モードとは、定着部（印字出力部）や表示部への電力供給を停止し、または低減することによって節電を図るようにしたものである。
【０００３】
この種の装置では、スタンバイモードから節電モードへの切り換えは、複写、ファクシミリなど画像形成動作がされていない状態が一定時間続くと自動的に行われるようになっており、一方、スタンバイモードへの復帰は、ファクシミリ受信、またはファクシミリ送信ジョブや複写ジョブの投入等の操作によって行われるようになっている。
【０００４】
ファクシミリ装置や複合機は、ファクシミリ受信の場合、相手先ファクシミリ装置からの送信により自動的に装置が稼動されるが、ファクシミリ送信や複写の場合は、利用者が装置を操作することによって稼動されるものであるため、上記のようにスタンバイモードへの復帰も、操作によってのみ動作する。
【０００５】
通常、定着部のスタンバイモードへの復帰にはある程度時間を要するため、利用者は、節電モードのときにファクシミリ送信や複写を行おうとすると、最初の操作を行ってから、装置前で数十秒から１分程度待たされることがある。
【０００６】
一方、ファクシミリ受信の場合は、装置設置場所の利用者の意思とは関係なく受信動作が実行されるものなので、スタンバイモードへの復帰に時間を要しても、利用者にとってなんら不便な面はない。
【０００７】
また、ファクシミリ受信時のスタンバイモードへの復帰については、次の特許文献１に記載されているように、節電効果を高める新たな技術が提案されている。
【０００８】
この技術では、着信時にさらに相手先を判別して、装置各部への電力供給の仕方を相手先別に変えるようにしている。すなわち、この技術によれば、たとえば、受信画像を特に印字させる必要がないもの（画像の保存や転送だけでよいもの）については、定着部をスタンバイ状態にさせないような適切な立ち上げ動作を行わせることができる。つまり、一歩進んだ節電対策の実施を実現することができる。
【特許文献１】特開２０００−３０７７７４号公報
【発明の開示】
【発明が解決しようとする課題】
【０００９】
本発明は、ファクシミリ装置の節電モードからスタンバイモードへの復帰に関して提案されたもので、その目的は、利用者の操作により装置を稼動させる場合に、利用者を装置前で待たせることのないようにした利便性の高いファクシミリ装置を提供することにある。
【００１０】
本発明は、利便性にすぐれた装置を実現させるため、以下に詳述するように、電話着信や電子メール受信をスタンバイモードへの移行動作のイベントとして採用している、いわば遠隔立ち上げを実現したものといえる。
【課題を解決するための手段】
【００１１】
上記目的を達成するために、本発明者は以下に示すような解決手段を提案している。
【００１２】
請求項１に記載のファクシミリ装置は、節電モード自動移行機能を備えたファクシミリ装置において、少なくとも発信元情報を含む条件情報を登録したスタンバイモード移行条件登録設定手段と、外線からの呼出に着信した後に、電話機側から送信されてくる識別情報が、登録した発信元情報と一致したときには、節電モードからスタンバイモードに移行させる制御手段とを備えている。
【００１３】
請求項２では、節電モード自動移行機能を備えたファクシミリ装置において、少なくとも時刻帯情報を含む条件情報を登録可能としたスタンバイモード移行条件登録設定手段と、クロック手段と、外線からの呼出に着信した後に、クロック手段を参照して登録された時刻帯と一致したときには、節電モードからスタンバイモードに移行させる制御手段とを備えている。
【００１４】
請求項３では、節電モード自動移行機能を備えたファクシミリ装置において、少なくとも発信元情報と時刻帯情報を含む条件情報を登録可能としたスタンバイモード移行条件登録設定手段と、クロック手段と、外線からの呼出に着信した後に、電話機側から送信されてくる識別情報が登録した発信元情報と一致し、かつ、クロック手段を参照して登録された時刻帯と一致したときには、節電モードからスタンバイモードに移行させる制御手段とを備えている。
【００１５】
請求項４では、請求項１または３において、ファクシミリ装置は、電子メールに画像ファイルを添付して送受信する機能をさらに備えており、制御手段は、受信した電子メールから発信元情報を抽出して、登録された発信元情報と照合する構成にしている。
【発明の効果】
【００１６】
上記解決手段によれば、次のような効果を期待することができる。
【００１７】
すなわち、本明細書に記載のファクシミリ装置は、外線からの呼出に着信した場合、その後に送られてくる発信元の電話番号やＰＢ操作による識別番号などの発信元識別情報が、予め登録された発信元情報と一致したときには、スタンバイモードへの移行動作を実行しているので、ファクシミリ装置と離れている場所から、電話等の遠隔操作により立ち上げ準備することができる。つまり、固定電話や携帯電話、ＰＨＳからの立ち上げが可能となる。
【００１８】
なお、請求項１では特定の相手先の着信を、請求項２では特定の時刻帯の着信を、請求項３では特定の時刻帯の特定相手先着信を立ち上げの動作条件としているので、各種の態様の遠隔立ち上げを行うことができる。
【００１９】
請求項４では、インターネットファクシミリ装置において、電子メールを受信すればスタンバイモードへ移行する構成としているので、たとえば出勤途中に携帯電話から電子メールにより立ち上げることができる。
【発明を実施するための最良の形態】
【００２０】
以下に、本発明を実施するための最良の形態について添付図面とともに説明する。以下に示す実施例では複合機を示しているが、ファクシミリ専用機にも適用可能である。また、電子メールで画像を通信するようにしたインターネットファクシミリ装置についても適用可能である。
【実施例１】
【００２１】
図１は、本発明のファクシミリ装置の基本構成の一例を示したブロック図である。
【００２２】
図において、１はＣＰＵなどで構成され、以下の各部を制御する制御手段、２は通信回線へのネットワーク制御を行うＮＣＵ、３は画像データをファクシミリ通信するために信号の変調・復調を行うモデム、４は画像データを記憶する画像メモリ、５は制御プログラムなどを記憶しているＲＯＭ、６は可変データや設定データなどを記憶するＲＡＭ、７は原稿画像を読み取る画像読取部、８はテンキーや各種操作スイッチで構成された操作部、９は液晶画面等の表示手段で構成された表示部、１０は受信した原稿の画像データを印字出力する印字出力部、１１はクロック手段である。
【００２３】
また、８ａは、後述するスタンバイモードへの移行条件を設定するための登録設定手段であり、６ａは、登録された条件情報を格納するＲＡＭ６内の領域である。後述するように、条件情報には、電話番号などを含む識別情報と時刻帯情報が含まれる。
【００２４】
このファクシミリ装置は、画像読取部７で読み取った画像データを順次符号化したのち、いったん画像メモリ４に蓄積し、モデム３、ＮＣＵ２を介して、相手先のファクシミリ装置（不図示）に対して送信する一方、画像データを受信すると、受信した画像データを画像メモリ４に蓄積し、順次読み出し復号して、印字出力部１０によって印字出力するファクシミリ送受信基本機能と、画像読取部７で読み取った画像データを印字出力部１０により記録紙に出力する複写機能と、パソコン（不図示）等から入力した画像データを記録紙に印字出力するプリンタ機能を有している。
【００２５】
本ファクシミリ装置は、ジョブを実行していないときに表示部９や印字出力部１０への電力供給を中止する構成とした、節電モードへの切り換えが可能な装置であるが、本発明では、次に示すように、その節電モードを解除してスタンバイモードへ移行するための新規な技術を提案している。
【００２６】
図２フローチャートは、本発明装置の呼出信号受信時の基本動作を示すものである。
【００２７】
ファクシミリ装置は、呼出信号を受信すると回線を接続し、次の信号の受信を待つ（１０１〜１０４）。
受信した信号がファクシミリ手順信号であれば、ファクシミリによる画像受信と判断し、引き続き通信手順処理を実行し、その後、画像受信を行う（１０５〜１０７）。
受信した信号がトーン信号であれば、トーン信号で送信されてきた番号（識別情報）が登録されている発信元情報と一致し、かつ、登録された時刻帯での着信であれば、その着信がスタンバイモードへの復帰のためのイベントであると判断して、スタンバイモードへの復帰動作を実行する（１０４、１０５、１０８〜１１０）。
そして、その後、回線断とする（１１１）。
【００２８】
ここでは、発信元情報の一致かつ時刻帯の一致を、スタンバイモードへの移行条件としているが、移行条件は発信元情報の一致のみでもよいし、時刻帯の一致のみでもよい。
【００２９】
なお、図２の例は、相手先の発呼後のＰＢ操作によるトーン信号をみて、条件を判別したものであるが、交換局からの最初の呼出があった後、交換機からすぐに電話番号（トーン信号）を送信してくるナンバーディスプレイ機能を採用して、その電話番号と、登録した電話番号とを照合するようにしてもよい。
【００３０】
また、上記の例はＧ３のファクシミリ装置を示したものであるが、インターネットファクシミリ装置に適用してもよい。
【００３１】
図３のフローチャート（２０１〜２０５）は、インターネットファクシミリ装置における電子メールによるスタンバイモードへの復帰動作を示している。
【００３２】
図４には、スタンバイモード移行条件登録設定手段８ａを構成する設定画面の例を示している。この画面は、操作部８と表示部９が一体となったもので、ＬＥＤ操作パネル等で構成されている。
【００３３】
図４に示すように、この画面は、スタンバイモードへの移行条件の設定の有無と、設定ありの場合の条件内容とを選択設定できるように画面構成されている。図４の例では、８：００〜８：３０分を時間帯とし、特定の相手先から着信があったことを移行条件に設定したものである。
【００３４】
以上のように、電話機からの着信をスタンバイモードへの移行イベントとして、移行動作を実行しているので、利用者は、ファクシミリ装置を設置している職場に出勤する前や、あるいは装置が離れた場所に設置されている場合などに、固定電話や携帯電話を使って事前にスタンバイ状態にしておくことができる。
【００３５】
遠隔操作で装置をスタンバイ状態にすることができるので、ジョブ投入するために装置のところに足を運んできてから、操作後すぐにジョブ動作を実行させることができる。そのため、利用者は待たされることなく、時間を節約することができる。
【００３６】
また、条件設定画面を設けることにより、各種のスタンバイモードへの移行条件を設定できるため、設置態様に応じた立ち上げを自由に選択することができる。
【図面の簡単な説明】
【００３７】
【図１】本発明のファクシミリ装置の基本構成の一例を示したブロック図である。
【図２】本発明装置の基本動作を示したフローチャートである。
【図３】本発明装置の基本動作の他例を示したフローチャートである。
【図４】スタンバイモードへの移行条件の設定画面の例を示した図である。
【符号の説明】
【００３８】
１      制御手段
６      ＲＡＭ
６ａ      条件情報の設定領域
８      操作部
８ａ      スタンバイモード移行条件登録設定手段
９      表示部
１１      クロック手段
【図１】
2005143050.tif 000003
【図２】
2005143050.tif 000004
【図３】
2005143050.tif 000005
【図４】
2005143050.tif 000006